(57)【要約】      （修正有）【課題】施工の作業効率が高く、メンテナンスがほとんど必要ない鳥類飛来忌避装置を提供する。【解決手段】鳥類飛来忌避装置は、線材３ａに所定の間隔をおいて永久磁石３ｂを取り付けると共に、その線材の両端に緩衝スプリング４を設けて所定長さにユニット化した磁石線条３と、上方を拡開した逆台形状に形成し、水平基部とその両端部に少なくとも２つの支持部１ａを形成してなる支持台１とで構成する。複数の支持台を建造物の所望箇所に所定の間隔をおいて取り付け可能とすると共に、それぞれの支持台の支持部の間にユニット化した磁石線条を並行して張架する。そして、支持台の水平基部に沿って取付金具が係着可能な取付け延長板を延設する。【選択図】図２
0003171937.tif 000002
【実用新案登録請求の範囲】
【請求項１】
線材に所定の間隔をおいて永久磁石を取り付けると共に、その線材の両端に緩衝スプリングを設けて所定長さにユニット化した磁石線条と、上方を拡開した逆台形状に形成し、水平基部とその両端部に少なくとも２つの支持部を形成してなる支持台とからなり、
複数の上記支持台を建造物の所望箇所に所定の間隔をおいて取り付け可能とすると共に、それぞれの支持台の支持部の間に上記ユニット化した磁石線条を並行して張架することを特徴とする鳥類飛来忌避装置。
【請求項２】
上記支持台の水平基部に沿って取付金具が係着可能な取付け延長板を延設した請求項１記載の鳥類飛来忌避装置。
【請求項３】
上記支持台は、細幅板材を上方に拡開した逆台形状に折曲してなり、中央部分を水平基部とし両端部を支持部とした請求項１または請求項２記載の鳥類飛来忌避装置。
【請求項４】
上記支持台は、細幅板材を上方に拡開した逆台形状に折曲してなり、中央部分を水平基部とし両端部を支持部とすると共に、前記水平基部の中央にＬ字状の支持台をさらに取り付け、このＬ字状の支持台の上端部も支持部とした請求項１または請求項２記載の鳥類飛来忌避装置。
【請求項５】
上記磁石線条の各永久磁石間の間隔をその永久磁石の磁力線が及ぶ範囲の２倍の距離とすると共に、上記支持台の各支持部間の間隔も前記永久磁石の磁力線が及ぶ範囲の２倍の距離とした請求項１から請求項４のいずれか１項記載の鳥類飛来忌避装置。
【請求項６】
上記支持台の支持部先端に係止孔を設ける一方、上記ユニット化した磁石線条の両端の緩衝スプリングの端部にフックを形成し、該フックを上記支持部の係止孔に係着させて磁石線条を張架するようにした請求項１から請求項５のいずれか１項記載の鳥類飛来忌避装置。
【請求項７】
上記緩衝スプリングを独立した部材としてその両端にフックを形成し、磁石線条の線材の先端に形成するフックと互いに係着可能とし、前記緩衝スプリングのフックを上記係止孔に係着させて磁石線条を張架するようにした請求項１から請求項５のいずれか１項記載の鳥類飛来忌避装置。
【考案の詳細な説明】
【技術分野】
【０００１】
この考案は、住宅、駅、工場や田畑などに鳩やカラスなどの鳥類が飛来、接近することを回避して、これら鳥類による各種の被害を防止するための鳥類飛来忌避装置の改良に関するもので、特に線条体に複数の磁石を取り付けたものを支持台に張架してなる忌避装置に関するものである。
【背景技術】
【０００２】
近年、住宅、駅、工場等における鳥類の営巣や糞便の害が問題となっている。鳥の糞便は屋根やベランダを汚損するほか、各種の病原菌を媒介したり、乾燥した糞便の微粉末が飛散して呼吸器疾患の要因ともなっている。また、鳥類による作物の食害なども被害が大きい。そのため、鳥類の接近を回避し、種々の害を防止するため、各種の鳥類飛来忌避装置が提案されている。
【０００３】
そのうち、体内に生物磁石（マグネタイト）を持つ鳥類が微弱な地磁気の変動にも敏感に反応する性質を利用し、局所的に異常変動磁場を形成することにより、鳥類の飛来を防止、忌避するようにしたものが知られている。例えば、本願の考案者も、特許文献１に示すように、支持台を介して張設した線条体に一定間隔で多数の永久磁石を支持させ、これを鳥類の飛来場所に設置するようにした装置を開発している。この種の装置は、永久磁石が形成する磁場によって、鳥類を忌避しようとするものである
【先行技術文献】
【特許文献】
【０００４】
【特許文献１】実用新案登録第２５５８０１１号公報
【考案の概要】
【考案が解決しようとする課題】
【０００５】
ところで、この種の忌避装置を設置、施工する場合、従来、永久磁石を取付けた線条体は３０メートル程度の長さのものを一つの巻き取り単位としたものであり、現場において、まず、所望の設置場所に複数の支持台をネジ止め等によって適宜な間隔に取り付け、この支持台に前記長尺の線条体を巻き付けたりネジ止めするなどして架け渡し、取り付けることが一般に行われている。
【０００６】
しかしながら、一般に設置場所は屋根やベランダなどの高所であるから、上記長尺の線条体を取り回す施工は危険を伴う専門的なものであり，かつ、多大な手間と時間を要するものであった。建物等を新築する場合には、その建築時に同時に施工することが可能であるが、既存の施設に後から設置しようとする場合、施工の作業性は必ずしも効率的ではなく、その改善が望まれている。
【０００７】
また、線条体は１条より複数条の方が面として鳥類を忌避することが可能であるので好ましいが、従来の施工方法では線条の数が増えるに従って、同様の手間と時間が増加していたので、作業の効率は好ましいものではなかった。即ち、広範囲に渡って、複数本の線条体を取付けるには、予め多くの支持台を設置する必要があり、多くの手間を要するものであった。
【０００８】
本願は、このような従来の施工の手間を改善するもので、新たな構造の支持台を用いた忌避装置を提案すると共に、その施工手段にも改善を施した鳥類飛来忌避装置を提案するものである。
【課題を解決するための手段】
【０００９】
上述した課題を解決するため、本考案は、鳥類飛来忌避装置を、線材に所定の間隔をおいて永久磁石を取り付けると共に、その線材の両端に緩衝スプリングを設けて所定長さにユニット化した磁石線条と、上方を拡開した逆台形状に形成し、水平基部とその両端部に少なくとも２つの支持部を形成してなる支持台とで構成し、複数の上記支持台を建造物の所望箇所に所定の間隔をおいて取り付け可能とすると共に、それぞれの支持台の支持部の間に上記ユニット化した磁石線条を並行して張架するという手段を採用した。
【００１０】
そして、上記支持台の水平基部に沿って取付金具が係着可能な取付け延長板を延設するという手段を採用した。
【００１１】
また、上記支持台は、細幅板材を上方に拡開した逆台形状に折曲してなり、中央部分を水平基部とし両端部を支持部とする手段、或いは、上記支持台は、細幅板材を上方に拡開した逆台形状に折曲してなり、中央部分を水平基部とし両端部を支持部とすると共に、前記水平基部の中央にＬ字状の支持台をさらに取り付け、このＬ字状の支持台の上端部も支持部とする手段を採用した。
【００１２】
このように、複数の支持部を有する支持台を適当間隔に設置して、その間にユニット化した磁石線条を張架することができるので、面状に磁石を配置して鳥類を広範囲に忌避するものである。
【００１３】
この場合、上記磁石線条の各永久磁石間の間隔をその永久磁石の磁力線が及ぶ範囲の２倍の距離とすると共に、上記支持台の各支持部間の間隔も前記永久磁石の磁力線が及ぶ範囲の２倍の距離とした。
【００１４】
かかる距離を採用することで、永久磁石の磁力線の及ぶ範囲を最も効率よく配置することができる。
【００１５】
そして、上記支持台の支持部先端に係止孔を設ける一方、上記ユニット化した磁石線条の両端の緩衝スプリングの端部にフックを形成し、該フックを上記支持部の係止孔に係着させて磁石線条を張架するという手段を採用した。
【００１６】
または、上記緩衝スプリングを独立した部材としてその両端にフックを形成し、磁石線条の線材の先端に形成するフックと互いに係着可能とし、前記緩衝スプリングのフックを上記係止孔に係着させて磁石線条を張架するという手段を採用した。
【００１７】
このように、ユニット化した磁石線条をフックを介して係着するだけで簡単に施工でき、その手間を大幅に軽減できる。
【考案の効果】
【００１８】
以上述べたように、本考案に係る鳥類飛来忌避装置は、複数の支持部を有する支持台とユニット化した磁石線条によって構成するようにしたので、その取扱いが簡便なものとなり、施工の作業性が大幅に向上するものである。
【００１９】
特に、２本以上の磁石線条を張架する場合は、従来に比べて、その作業効率が非常に高くなり、同じ時間で、２倍以上の作業域に施工できるので、経済的である。
【００２０】
また、ユニット化した磁石線条をフックで引っ掛けるだけの手間で施工できるので、作業性が高く、施工時間を大幅に短縮することが可能であり、誰にでも施工できる。
【００２１】
なお、永久磁石を用いているので、恒久的に使用が可能であり、メンテナンスもほとんど必要がなく、極めて利用価値の高い優れた考案である。
【図面の簡単な説明】
【００２２】
【図１】本考案に係る鳥類飛来忌避装置の概要を示す斜視図である。
【図２】（Ａ）は支持台とユニット化した磁石線条の取付け概要を示す斜視図、（Ｂ）は永久磁石の磁力線が及ぶ範囲の説明図である。
【図３】支持台の一例を示す斜視図である。
【図４】支持台の他の一例を示す斜視図である。
【図５】支持台の例を示す側面図である。
【図６】（Ａ）は支持台にフックを介して磁石線条を取付ける態様の説明図、（Ｂ）は緩衝スプリングの他の例を示す説明図である。
【図７】支持台を各種材に取付ける手段の説明図である。
【考案を実施するための形態】
【００２３】
以下、本考案に係る鳥類飛来忌避装置の幾つかの好ましい実施形態を添付した図面に従って説明する。図１において、１は上方に拡開した態様の２つの支持部１ａ、１ａと水平基部１ｃを持つ支持台であり、取付対象の構造物を構成するＨ鋼（Ｈ）のフランジ部分に適宜な取付金具２を介して着脱自在に固定するものである。図１では取付金具２としてクランプ状のバイスを用いて固定しているが、これに限定するものではない。なお、支持台１の具体的な固定手段については後述する。
【００２４】
３は上記支持台１に張架する磁石線条であり、図２に示すように、例えばステンレス鋼（ＳＵＳ）線等の線条材３ａに所定の間隔をおいて多数の永久磁石３ｂ、３ｂ・・を取り付けたもので、この永久磁石３ｂの周囲に生じる磁力線によって、鳥類を忌避し、その飛来を防止するものである。この磁石線条３の基本構成自体は従来より公知のものであるが、例えば、線条材３ａとしてＳＵＳ線ワイヤーをナイロン樹脂で被覆加工した特殊なワイヤーを用いることもある。これにより、錆化が防止でき、伸縮や弛み、断線等がなく、恒久的な性能を得ることができる。
【００２５】
磁石線条３は、具体的には、１．５〜２ｍ程度の長さにユニット化したものを用い、永久磁石３ｂの相互の間隔は２５０ｍｍとする。これは、図２（Ｂ）に示すように、永久磁石３ｂの磁力線の及ぶ範囲（半径Ｗ）をおよそ１２５ｍｍとした場合に、最も効率よく磁力線の及ぶ範囲（２Ｗ）を設定するものである。なお、かかる数値は一例であり、使用する永久磁石の種類によって変動することはもちろんである。また、所定の長さにユニット化することで、施工が容易となる。
【００２６】
また、図１、図２では、２つの支持部１ａ、１ａを持つ支持台を用い、２本の磁石線条３、３を互いに並行させて張架している。この場合、相互の磁石線条３、３の間の距離（Ｌ）も、２５０ｍｍとしている。これによって、図２（Ｂ）に示すように、磁力線の及ぶ範囲が面状に広がり、鳥類の忌避効果が高まることになる。
【００２７】
所定の長さにユニット化した磁石線条３の両端にはＳＵＳ製の緩衝スプリング４が適宜な手段で取り付けられ、図２（Ａ）に示すように、この緩衝スプリング４を介して所定の間隔ごとに固定した支持台１、１間に張架する。張架の手段としては、支持台１に係止孔１ｂを穿設しておく一方、緩衝スプリング４の先端はフック状４ａとして、このフック４ａを係止孔１ｂに引っ掛けて張架する。これによって、磁石線条３は、弛みなく張架される。また、ユニット化した磁石線条３は施工時の取扱いがきわめて容易である。なお、張架手段もこれに限定するものではない。
【００２８】
次に、上記支持台１の具体的な構成例について図３〜図５により説明する。図３は２つの支持部１ａ、１ａと水平基部１ｃとを有する支持台１を示すもので、ＳＵＳ製またはアルミ製の細幅板材の両端を上方に拡開した逆台形状に折曲して構成している。各支持部１ａの先端近傍には、上記磁石線条３を係着する係止孔１ｂを穿設している。また、支持台１の水平基部１ｃの下面には適宜な手段で取付け延長板１ｄを延長して設けている。この取付け延長板１ｄを介して所望の場所に取り付けることになる。そして、上述したように、２つの支持部１ａ、１ａ間の距離は、使用する磁石線条３の永久磁石３ｂの磁力線が及ぶ範囲（半径）を考慮して、その２倍の距離に設定する。
【００２９】
図４は、３本の磁石線条の張架を可能とした支持台の例を示すものである。この場合、水平基部１ｃの長さを長くし、その中央にＬ字状の垂直支持部１ｅを取り付けている。この垂直支持部１ｅの先端近傍にも係止孔１ｂを穿設している。また、支持台の水平基部１ｃの下面には適宜な手段で取付け延長板１ｄを延長して設けている。そして、両側の各支持部１ａ、１ａと中央の垂直支持部１ｅの相互間の距離は、上記と同様に、使用する磁石線条３の永久磁石３ｂの磁力線が及ぶ範囲（半径）を考慮して、その２倍の距離に設定する。３本の磁石線条を並行して張架するので、鳥類の忌避範囲の面積がより広くなる。
【００３０】
図５は、各種支持台の例を示す側面図であり、磁石線条を１本から３本、支承する場合のそれぞれの構成例を示している。（Ａ）は１本の磁石線条を支承するもので、板材をＬ字状に折曲して構成している。このばあい、水平の基部部分を利用して取付ける。（Ｂ）は２本の磁石線条を並行させて支承するもので、上記実施形態で説明したものである。即ち、板材の両端を上方に拡開した逆台形状に折曲して構成し、水平基部に取付け延長板を延設している。（Ｃ）は３本の磁石線条を支承するもので、板材の両端を上方に拡開した逆台形状に折曲して構成し、その水平基部の中央に上記（Ａ）で示したＬ字状の支持台を取り付けている。即ち、上記１本を支承する支持台（Ａ）は３本を支承する支持台（Ｃ）の部品としても利用できる。
【００３１】
続いて、図６は、支持台１に対する磁石線条３の取り付け手段についての説明図である。同図（Ａ）では、前述したように、磁石線条３の両端部分に直接、緩衝スプリング４を形成し、端部は鈎状のフック４ａとしている。そして、これを支持台１の支持部１ａに形成された係止孔１ｂに係着して取り付ける。また、同図（Ｂ）に示すように、緩衝スプリングを独立した部材として形成することも可能である。この場合、緩衝スプリング５の両端にフック５ａ、５ａを形成し、一方、磁石線条３の先端にも直接フック３ｃを形成し、互いに係着するようにする。かかるフックによる係着構造を採用することにより、磁気線条３を極めて簡単に各支持台１に取付けることができ、施工の手間を大幅に軽減することができる。
【００３２】
図７は、支持台１の取り付け手段についての説明図である。（Ａ）はＨ鋼材やＬ型材など比較的薄い板材（Ｆ）に取り付ける例を示している。即ち、Ｈ鋼の端部に支持台１の取付け延長板１ｄを一致させて設置し、クランプ状のバイス（Ｇ）を締め付けて固定するようにしている。これにより、板材の任意の場所に支持台１を簡単に取り付けることができ、その着脱や位置変更も容易である。そのため施工の手間を大幅に軽減できる。同図（Ｂ）は、木やコンクリートなどの棒状材（Ｋ）に取り付ける例を示している。この場合、取付け延長板を省略し、支持台１の水平基部１ｃを直接棒状材にネジ止め等によって取り付ける。同図（Ｃ）は、パイプ状部材（Ｐ）に取り付ける例を示している。この場合は、水平基部１ｃに適宜なベルト（Ｒ）を固着しておき、このベルト（Ｒ）をパイプ材（Ｐ）に巻着して取り付ける。なお、これらの手段は例示であり、取付対象に応じて最も適当な手段を採用する。
【００３３】
上述した本願の鳥類飛来忌避装置によれば、支持台を所定の間隔に固定し、ユニット化した磁石線条を支持台間にフック等で引っ掛けて張架するだけで、磁石線条を並行して広く張架することが可能となる。従って、従来に比べて施工の手間が大幅に軽減されると共に、広い面積の忌避効果を得ることができるという優れた効果を期待できるものである。
【符号の説明】
【００３４】
１    支持台
１ａ  支持部
１ｂ  係止孔
１ｃ  水平基部
１ｄ  取付け延長板
１ｅ  垂直支持部
２    取付金具
３    磁石線条
３ａ  線材
３ｂ  永久磁石
３ｃ  フック
４    緩衝スプリング
４ａ  フック
５    緩衝スプリング
５ａ  フック
【図１】
0003171937.tif 000003
【図２】
0003171937.tif 000004
【図３】
0003171937.tif 000005
【図４】
0003171937.tif 000006
【図５】
0003171937.tif 000007
【図６】
0003171937.tif 000008
【図７】
0003171937.tif 000009